(57)【特許請求の範囲】
【請求項１】
ターンテーブル上に、座席部品が組み付けられる鉄道車両用座席であって、
前記ターンテーブルは、機械加工により被係合凹部あるいは被係合凸部が形成された矩形板状の上側テーブルと、前記上側テーブルを回転可能に支持する下側テーブルとを有し、
前記座席部品は、シートクッションとシートバックとが乗客別に独立して一体に形成されリクライニング機構が内蔵されているシートアッセンブリで、前記シートクッションの下部フレームに、前記被係合凹部あるいは被係合凸部に係脱可能に係合する係合凸部あるいは係合凹部を有し、
前記シートアッセンブリの係合凸部あるいは係合凹部と前記上側テーブルの被係合凹部あるいは被係合凸部との係合により前記シートアッセンブリが前記上側テーブルに位置決めされて締結具を用いて直接に固定されていることを特徴とする鉄道車両用座席。
【請求項２】
前記上側テーブルは、プレス加工によって形成され剛性を高めるビードを有する請求項１記載の鉄道車両用座席。
【請求項３】
前記上側テーブルは、剛性を高める型鋼などからなり締結具を用いて固定されている補強材を有する請求項１記載の鉄道車両用座席。
【請求項４】
前記座席部品は、前記シートバックの背面側に形成される収納凹部内に取り出し可能に収納される後席乗客用のテーブルを有し、前記後席乗客用のテーブルは前記シートバックに取り付けられている請求項１〜３のいずれか１つに記載の鉄道車両用座席。
【請求項５】
前記上側テーブルの上側に、前記座席部品に隣接して肘掛けが位置決めされて締結具を用いて直接に固定されている請求項１〜３のいずれか１つに鉄道車両用座席。
【請求項６】
前記シートバックは、側部に座席間肘掛けが取り付けられている請求項１〜３のいずれか１つに鉄道車両用座席。
【請求項７】
左右の座席部品の間に位置するコンソールボックスが、前記上側テーブルの上側に締結具を用いて直接に固定されている請求項１〜３のいずれか１つに鉄道車両用座席。
【発明の詳細な説明】
【技術分野】
【０００１】
本発明は、鉄道車両用座席に関するものである。
【背景技術】
【０００２】
鉄道車両用座席は、床部から上方に向かって、各部品を順に組み付けるようになっている。この各部品は、ユニット化できない構造であるか、ユニット化しても安定して定置できない構造となっている。
【０００３】
そこで、各種の構造の座席が提案されている（例えば、特許文献１，２参照）。
【０００４】
特許文献１に記載のものでは、押出型材のモノスパンで構成されている断面三角形をなす横梁を、真下を向く下面部の中央に旋回可能に支持する軸受けが設けられ、前記横梁に座部フレームや肘掛けフレームを取り付けるようになっている。また、特許文献２に記載のものは、脚台の上面部中央における回転機構の回転板に腰掛けの台枠の底面側に一体に固定されている。
【先行技術文献】
【特許文献】
【０００５】
【特許文献１】特開２００５−３２９１０３号公報（段落００３３，００３４および図１）
【特許文献２】特開２００８−８７６８７号公報（段落００２１および図４，図５）
【発明の概要】
【発明が解決しようとする課題】
【０００６】
生産性を向上できるユニット化ができず、１つの作業スペースで部品を集結して組み付け、１脚の座席シートとすることができないのが現状である。
【０００７】
発明者は、ターンテーブルの回転板（上側テーブル）を機械加工により精度よく形成すれば、座席部品をシートクッションとシートバックとが乗客別に独立して一体に形成されたシートアッセンブリとして、回転板（上側テーブル）に，ボルト、ナットなどの締結具を用いて直接的に固定できることに着想し、本発明をなしたものである。
【０００８】
本発明は、座席部品をユニットとして、ターンテーブルの上側テーブルに締結具を用いて直接に固定でき、組み付けが容易である鉄道車両用座席を適用することを目的とする。
【課題を解決するための手段】
【０００９】
請求項１の発明は、ターンテーブル上に、座席部品が組み付けられる鉄道車両用座席であって、前記ターンテーブルは、機械加工により被係合凹部あるいは被係合凸部が形成された矩形板状の上側テーブルと、前記上側テーブルを回転可能に支持する下側テーブルとを有し、前記座席部品は、シートクッションとシートバックとが乗客別に独立して一体に形成されリクライニング機構が内蔵されているシートアッセンブリで、前記シートクッションの下部フレームに、前記被係合凹部あるいは被係合凸部に係脱可能に係合する係合凸部あるいは係合凹部を有し、前記シートアッセンブリの係合凸部あるいは係合凹部と前記上側テーブルの被係合凹部あるいは被係合凸部との係合により前記シートアッセンブリが前記上側テーブルに位置決めされて締結具を用いて直接に固定されていることを特徴とする。
【００１０】
このようにすれば、ターンテーブルの、矩形板状の上側テーブルを、被係合凹部あるいは被係合凸部を含めて機械加工により精度よく形成し、その上側テーブルに、ユニット化した座席部品（シートクッションの下部フレームに、前記被係合凹部あるいは被係合凸部に係脱可能に係合する係合凸部あるいは係合凹部を有するもの）を取り付けるようにしているので、ターンテーブルの上側テーブルに前記座席部品を精度よく位置決めし、締結具を用いて直接に固定でき、組み付けが容易となる。
また、ユニット化される座席部品はユニット化されているので、それにリクライニング機構を簡単に組み込むことができる。
【００１１】
この場合には、請求項２に記載のように、前記上側テーブルは、プレス加工によって形成され剛性を高めるビードを有する構成としてもよいし、請求項３に記載のように、前記上側テーブルは、剛性を高める型鋼などからなり締結具を用いて固定されている補強材を有する構成としてもよい。
【００１２】
このようにすれば、座席部品の取付精度を損なうことなく、また、溶接構造を採用することなく、上側テーブルの剛性を、必要に応じて高めることができる。
【００１５】
請求項４に記載のように、前記座席部品は、前記シートバックの背面側に形成される収納凹部内に取り出し可能に収納される後席乗客用のテーブルを有し、前記後席乗客用のテーブルは前記シートバックに取り付けられている構成とすることも可能である。
【００１６】
このようにすれば、ユニット化される座席部品はユニット化されているので、それに後席乗客用のテーブルを取り出し可能に簡単に組み込むことができる。
【００１７】
請求項５に記載のように、前記上側テーブルの上側に、前記座席部品に隣接して肘掛けが位置決めされて締結具を用いて直接に固定されている構成とすることができる。
【００１８】
このようにすれば、肘掛けも、座席部品と同様に、ターンテーブルの上側テーブルに位置決めして締結具を用いて直接に固定することができ、容易な組み付けを実現する上で有利である。
【００１９】
請求項６に記載のように、前記シートバックは、側部に座席間肘掛けが取り付けられていることが望ましい。
【００２０】
このようにすれば、座席間肘掛けを別に取り付けるよりも、より組み付けが容易となる。
【００２１】
請求項７に記載のように、左右の座席部品の間に位置するコンソールボックスが、前記上側テーブルの上側に締結具を用いて直接に固定されている構成とすることも可能である。
【００２２】
このようにすれば、コンソールボックスを設ける場合に、前記コンソールボックスを同様に精度よく組み立てることができる。
【発明の効果】
【００２３】
本発明は、上記のように、ターンテーブルの上側テーブルを機械加工により精度よく形成し、その上側テーブルに、ユニット化した座席部品を取り付けるようにしているので、ターンテーブルの上側テーブルに前記座席部品を位置決めして締結具を用いて直接に固定することができ、組み付けが容易となる。
【図面の簡単な説明】
【００２４】
【図１】本発明に係る鉄道車両用座席の一実施の形態を示す斜視図である。
【図２】座席部品を背面側から見た斜視図である。
【図３】他の実施の形態を示す図１と同様の図である。
【図４】別の実施の形態を示す図１と同様の図である。
【図５】さらに別の実施の形態を示す図１と同様の図である。
【発明を実施するための形態】
【００２５】
以下、本発明の実施の形態を図面に沿って説明する。
【００２６】
図１は本発明に係る鉄道車両用座席の一実施の形態を示す斜視図である。
【００２７】
本発明に係る鉄道車両用座席１は、図１に示すように、ターンテーブル１１上に、左右の座席部品１２Ｌ，１２Ｒが組み付けられるものである。
【００２８】
ターンテーブル１１は、マシニングセンタなどを用い精度よく機械加工された矩形板状の上側テーブル１３と、この上側テーブル１３を、図示しない回転機構を介して回転可能に支持する下側テーブル１４とを有する。
【００２９】
各座席部品１２Ｌ，１２Ｒは、それぞれシートクッション１２Ｌａ，１２Ｒａ（座部）とシートバック１２Ｌｂ，１２Ｒｂ（背ずり）とが乗客別に独立して一体に形成されたシートアッセンブリとされている。また、いわゆる周知のリクライニング機構を内蔵しており、シートクッション１２Ｌａ，１２Ｒａに対するシートバック１２Ｌｂ，１２Ｒｂの傾斜角度を調整できるようになっている。ここで、シートクッション１２Ｌａ，１２Ｒａとシートバック１２Ｌｂ，１２Ｒｂとが乗客別に独立して一体に形成されたシートアッセンブリとしているので、リクライニング機構を内蔵させるのも容易である。
【００３０】
この各座席部品１２Ｌ，１２Ｒ（シートアッセンブリ）は、シートクッション１２Ｌａ，１２Ｒａの下部フレーム１８が複数の係合凸部１８ａを有する。一方、上側テーブル１３には係合凸部１８ａに係脱可能に係合する複数の被係合穴１３ａ（被係合凹部）が機械加工により精度よく形成されている。そして係合凸部１８ａと被係合穴１３ａとの係合関係により座席部品１２Ｌ，１２Ｒと上側テーブル１３との位置決めがなされ、ボルト、ナットなどの締結具を用いて両者が固定される。
【００３１】
また、上側テーブル１３には、座席部品１２Ｌ，１２Ｒの外側に隣接して肘掛け１５Ｌ，１５Ｒが位置決めされて締結具を用いて直接に固定されるようになっている。つまり、肘掛け１５Ｌ，１５Ｒの下部フレームに形成されている係合凸部（図示せず）が、係脱可能に係合する被係合穴１３ｂが上側テーブル１３に形成さ、それらの係合により位置決めがなされ、ボルト、ナットなどの締結具を用いて両者が固定される。
【００３２】
一方、座席間肘掛け１６は、座席部品１２Ｒのシートバック１２Ｒｂの側部に取り付けられ、シートアッセンブリの一部とされている。なお、座席間肘掛け１６は、非使用時には、シートバック１２Ｒｂ，１２Ｌｂに跨って形成される収納凹部１２Ａに収納可能となっている。
【００３３】
また、図２に示すように、シートバック１２Ｒの背面側には、収納凹部１２Ｒｃが形成され、この収納凹部１２Ｒｃ内に後席乗客用のテーブル１７が取り出し可能に設けられている。図２は、テーブルを取り出した使用状態を示している。なお、テーブル１７が収納されているのは、シートバック１２Ｌも同様である。
【００３４】
これにより、図１に座席部品１２Ｒや肘掛け１５Ｒについてのみ示すように、座席部品１２Ｒ、肘掛け１５Ｒ側の係合凸部と上側テーブル１３の被係合穴１３ａ，１３ｂとの係合関係によりシートアッセンブリ１２Ｒや肘掛け１５Ｒが上側テーブル１３上の所定位置に精度よく位置決めされ、図示しない締結具（ボルト、ナットなど）を用いて直接に締結することで固定される。
【００３５】
このように、座席部品１２Ｌ，１２Ｒを位置決めして取り付けることで、座席部品１２Ｌ，１２Ｒにアッセンブリ化されているリクライニング機構（図示せず）、座席間肘掛け１６、テーブル１７なども一緒に組み付けることができ、組み付けが簡単になる。この組み付けは、組立現場で、定盤上上で安定した作業姿勢で組み立てることができるので、短時間での組立が可能となり、生産性を向上することができる。
【００３６】
また、必要に応じて、バックシェル、マガジンラック、コンソールボックス、テーブルユニット、肘当てなどを設ける場合には、ターンテーブル１１の上側テーブル１３に、締結具を用いて、個々に精度よく固定することが可能である。
【００３７】
また、左右の座席部品１２Ｌ，１２Ｒをターンテーブル１１（上側テーブル１３）に締結具により固定しているだけであるので、車両内に搬入する際に、それらを組み付けたものが車両出入口や通路より大きくても、例えば各座席部品１２Ｌ，１２Ｒ、ターンテーブル１１などのユニット単位に分解して、車両内に簡単に搬入することが可能となる。これは、適宜必要な大きさに分解できるようにある程度の数の部品を１つのグループとしてユニット化しているからである。よって、通常全体として搬入することができない大きさであっても、ユニット単位で分解して搬入することが可能となり、ユニット単位の分解であるから、車両内での組立も簡単に行うことができる。
【００３８】
一方、メンテナンス時においても、搬入時と同様に分解できるので、ユニット単位で搬出することができ、車両外部でのメンテナンス作業も容易に行うことができる。
【００３９】
とくに、ユニット単位で互換性を有する構成とすることで、メンテナンスの場合には短時間でユニット交換でき、車両内での作業時間の短縮化も図れる。また、車両から取り外したユニットは、後日、別の作業場所で修理するようにすることもできるので、修理の作業性も向上する。
【００４０】
本発明は、前述した実施の形態に限定されず、次のように変更して実施することも可能である。
【００４１】
(i)前記実施の形態では、各座席部品１２Ｌ，１２Ｒ（シートアッセンブリ）は、シートクッション１２Ｌａ，１２Ｒａの下部フレーム１８に係合凸部１８ａを有する一方、上側テーブル１３には係合凸部１８ａに係脱可能に係合する被係合穴１３ａ（被係合凹部）を設けているが、逆に、シートクッション１２Ｌａ，１２Ｒａの下部フレーム１８に係合凹部を、上側テーブル１３に前記係合凹部に係脱可能に係合する被係合凸部を設けるようにしてもよいし、係合凸部と被係合凹部（あるいは被係合穴）との係合に限らず、位置決めをすることができれば、係合部と被係合部との形状は特に制限されない。
【００４２】
(ii)前記実施の形態では、上側テーブル１３は、マシニングセンタなどを用いて矩形状の平板を機械加工して形成しているが、本発明はそれに制限されるものでなく、上側テーブルに、プレス加工によって、上方に突出するビードを形成し、単なる平坦な矩形板の平板の場合よりも剛性を高めることもできる。また、図３に示すように、上側テーブル１３Ａを、剛性を高めるために型鋼などからなる補強材２１，２２が締結具を用いて固定されている構造とし、位置決めするための、（上側テーブル１３Ａの）被係合凹部である被係合穴２１ａ，２１ａが補強材２１に設けられている構成とすることも可能である。
【００４３】
(iii)図４に示すように、シートクッションの下部に空所を設け、その空所内に各種機器を設ける構成とすることも可能である。この場合も、機械加工により精度よく形成した上側テーブルを利用して、座席の場合と同様に精度よく位置決めして、締結具を用いて直接に固定することができる。なお、左右の肘掛け１５Ｌ，１５Ｒを取り外すことで、空所内を見ることができ、メンテナンスなどにおいて有利である。
【００４４】
(iv)左右の座席部品１２Ｌ，１２Ｒの間に、図５に示すように、折り畳み式のテーブルユニットなどが内蔵された、いわゆるコンソールボックス３１を設けることも可能である。この場合も、コンソールボックス３１は、上側テーブル１３に対し同様に位置決めして締結具を用いて直接に固定されている。このコンソールボックスを設ける場合も、左右の肘掛け１５Ｌ，１５Ｒを、座席部品１２Ｌ，１２Ｒとは別体とすることも可能である。
【符号の説明】
【００４５】
１    鉄道車両用座席
１１    ターンテーブル
１２Ｌ，１２Ｒ    座席部品
１２Ｌａ，１２Ｒａ    シートクッション
１２Ｌｂ，１２Ｒｂ    シートバック
１３，１３Ａ    上側テーブル
１３ａ，１３ｂ    被係合穴（被係合凹部）
１４    下側テーブル
１５Ｌ，１５Ｒ    肘掛け
１６    座席間肘掛け
１８    下部フレーム
１８ａ    係合凸部
２１，２２    補強材
３１    コンソールボックス
【図１】
0005749539.tif 000002
【図２】
0005749539.tif 000003
【図３】
0005749539.tif 000004
【図４】
0005749539.tif 000005
【図５】
0005749539.tif 000006